(57)【要約】【課題】  ユーザが短距離無線ネットワーク中の装置／端末の出力信号を選択することができるシステム、方法及びコンピュータ読取り可能媒体を提供する。【解決手段】  本発明の実施の形態では、出力信号はリングトーン、警報、背景映像、振動信号、フォントタイプ又は映画の一部である。本発明の実施の形態のシステムは、短距離無線ネットワークにおいて第１及び第２出力信号を生成する第１及び第２装置を含む。セルラー装置がセルラー・ネットワークからのセルラー信号に応答して第１及び第２短距離無線信号を生成する。セルラー信号は第１装置のための第１マルチメディア・ファイル及び第２装置のための第２マルチメディア・ファイルを含む。第１マルチメディア・ファイルと第２マルチメディア・ファイルはテーマ的に関連する。処理装置がセルラー・ネットワークに接続されて第１及び第２マルチメディア・ファイルを記憶する。
2006514792.tif 000002
【特許請求の範囲】
【請求項１】
第１短距離無線信号に応答して第１出力信号を生成する短距離無線ネットワーク内の第１装置と、
テーマを持つ第１マルチメディア・ファイルを含むセルラー信号に応答して前記短距離無線信号を生成するセルラー装置と、
を含むシステム。
【請求項２】
第１短距離無線信号が、第１マルチメディア・ファイルを含む請求項１に記載のシステム。
【請求項３】
第１短距離無線信号が、第１マルチメディア・ファイルを実行するセルラー装置により生成された信号を含む請求項１に記載のシステム。
【請求項４】
第１出力信号が、イベントに応答して生成された警報である請求項１に記載のシステム。
【請求項５】
第１出力信号が、リングトーンである請求項１に記載のシステム。
【請求項６】
第１出力信号が、背景イメージである請求項１に記載のシステム。
【請求項７】
第１出力信号が、振動信号である請求項１に記載のシステム。
【請求項８】
第１出力信号が、ビデオである請求項１に記載のシステム。
【請求項９】
第１出力信号が、グラフイック・ユーザ・インターフェイス中のフォント・タイプである請求項１に記載のシステム。
【請求項１０】
第１出力信号が、映画のサウンド・トラックの少なくとも一部である請求項１に記載のシステム。
【請求項１１】
第１出力信号が、音楽作品の少なくとも一部である請求項１に記載のシステム。
【請求項１２】
第１出力信号が、オーディオ／ビジュアル作品の少なくとも一部である請求項１に記載のシステム。
【請求項１３】
第２出力信号を生成する第２装置をさらに含み、
第１出力信号と第２出力信号が前記テーマを持つ請求項１に記載のシステム。
【請求項１４】
第１出力信号が映画のサウンド・トラックの第１部分であり、第２出力信号が前記映画の前記サウンド・トラックの第２部分である請求項１３に記載のシステム。
【請求項１５】
セルラー信号を提供するためのセルラー・ネットワークと、
セルラー・ネットワークに接続されたワイドエリア・ネットワークと、
第１マルチメディア・ファイルを記憶するためワイドエリア・ネットワークに接続された処理装置と、
をさらに含む請求項１に記載のシステム。
【請求項１６】
第１マルチメディア・ファイルが、オーディオ、映像及びビデオからなるグループから選択されたファイルである請求項１に記載のシステム。
【請求項１７】
第１マルチメディア・ファイルが、処理装置から第１装置へ周期的に転送される請求項１５に記載のシステム。
【請求項１８】
第１マルチメディア・ファイルが、ユーザ選択に応答して処理装置から第１装置へ転送される請求項１５に記載のシステム。
【請求項１９】
第１マルチメディア・ファイルが、事象に応答して処理装置から第１装置へ転送される請求項１５に記載のシステム。
【請求項２０】
ユーザ選択が、ウェブサイトで第１マルチメディア・ファイルをユーザが選択することを含む請求項１８に記載のシステム。
【請求項２１】
ユーザが、セルラー装置上に記憶されている第１マルチメディア・ファイルを選択する請求項１に記載のシステム。
【請求項２２】
ユーザが、第１装置上に記憶されている第１マルチメディア・ファイルを選択する請求項１に記載のシステム。
【請求項２３】
第１装置が、デスクトップ・コンピュータ、ラップトップ・コンピュータ、パーソナル・デジタル・アシスタント、ヘッドセット、メッセージング端末、ページャー、プリンタ、腕時計、シン・ターミナル、デジタル・カメラ、及びそれらの均等物からなるグループから選択される請求項１に記載のシステム。
【請求項２４】
セルラー装置が、モバイル通信のためのグローバル・システム（ＧＳＭ）、コード分割多重アクセス（ＣＤＭＡ）、ＣＤＭＡ２０００プロトコル、時間分割多重アクセス（ＴＤＭＡ）、汎用パケット無線アクセス（ＧＰＲＳ）及びそれらの均等物からなるグループから選択されたプロトコルを使用する請求項１に記載のシステム。
【請求項２５】
第１装置が、短距離無線プロセッサ及び２．４ＧＨＺトランシーバを含む請求項１に記載のシステム。
【請求項２６】
第１装置が、短距離無線プロセッサ及び５．７ＧＨＺトランシーバを含む請求項１に記載のシステム。
【請求項２７】
短距離無線ネットワークが、ブルーツース（商標）ネットワークである請求項１に記載のシステム。
【請求項２８】
短距離無線ネットワークにおいて第１短距離無線信号に応答して第１出力信号を供給する第１装置と、
短距離無線ネットワークにおいて第２短距離無線信号に応答して第２出力信号を供給する第２装置と、
セルラー信号に応答して第１及び第２端距離無線信号を生成するためのセルラー装置とを備え、セルラー信号が第１装置に対する第１マルチメディア・ファイル及び第２装置に対する第２マルチメディア・ファイルを含み、第１マルチメディア・ファイル及び第２マルチメディア・ファイルがテーマ的に関連しているシステム。
【請求項２９】
セルラー信号を提供するためのセルラー・ネットワークと、
セルラー・ネットワークに接続されたワイドエリア・ネットワークと、
第１マルチメディア・ファイル及び第２マルチメディア・ファイルを記憶するためにワイドエリア・ネットワークに接続された処理装置と、
をさらに備える請求項２８に記載のシステム。
【請求項３０】
第１及び第２マルチメディア・ファイルが第１及び第２装置へダウンロードされて、第１及び第２マルチメディア・ファイルがそれぞれ第１及び第２出力信号を生成するために使用される請求項２８に記載のシステム。
【請求項３１】
第１及び第２マルチメディア・ファイルがセルラー装置へダウンロードされて、第１及び第２マルチメディア・ファイルがそれぞれ第１及び第２出力信号を生成するために使用される請求項２８に記載のシステム。
【請求項３２】
複数の装置を有する短距離無線ネットワークのためのテーマを選択するステップと、
複数の装置へ複数のファイルを供給するステップと、
を含む方法。
【請求項３３】
選択するステップが、ユーザがウェブサイトでテーマを選択するステップを含む請求項３２に記載の方法。
【請求項３４】
選択するステップが、複数の装置内の第１装置上に記憶されている複数のテーマを持つメニューからテーマをユーザが選択するステップを含む請求項３２に記載の方法。
【請求項３５】
複数のファイルが、複数の装置内の第１装置のための第１マルチメディア・ファイルと、複数の装置内の第２装置のための第２マルチメディア・ファイルと、複数の装置内の第３装置のための第３マルチメディア・ファイルとを含む請求項３２に記載の方法。
【請求項３６】
供給するステップが、処理装置により、複数の装置内の装置のタイプを獲得するステップと、処理装置により複数のそれぞれのファイルを複数のそれぞれの装置及び複数の装置内のセルラー装置へ転送するステップと、を含む請求項３２に記載の方法。
【請求項３７】
供給するステップが、ユーザにより、複数の装置内の装置のタイプを獲得するステップと、処理装置により複数のそれぞれのファイルを複数のそれぞれの装置へ転送するステップと、を含む請求項３２に記載の方法。
【請求項３８】
供給するステップが、複数の装置内の第１装置上に記憶されている複数のファイル中の第１ファイルを選択するステップを含み、第１装置が第１ファイルに応答して出力信号を発生する請求項３２に記載の方法。
【請求項３９】
供給するステップが、複数の装置内のセルラー装置上に記憶されている複数のファイル内の第１ファイルを選択するステップと、第１装置により出力信号を生成するためにセルラー装置により複数の装置内の第１装置へ第１信号を転送するステップとを含む請求項３２に記載の方法。
【請求項４０】
コンピュータ読取り可能媒体あって、
テーマ・メッセージに応答して、短距離無線ネットワーク中の装置から出力信号を生成するために短距離無線信号を生成するための短距離無線ソフトウェア部品と、
セルラー・ネットワークからテーマ・メッセージを含むセルラー信号を受信するためのセルラー・ソフトウェア部品と、を含むコンピュータ読取り可能媒体。
【発明の詳細な説明】
【技術分野】
【０００１】
本発明は、一般に、ネットワークに関し、より詳細には、ネットワーク内の装置に出力信号を提供することに関する。
【背景技術】
【０００２】
セルラー電話機などの無線装置は、典型的に、ＷＡＮ又は通信ネットワークのノードである。また、セルラー電話機は、ラップトップ、腕時計、メッセージ端末、パーソナル・デジタル・アシスタンス（ＰＤＡ）及び／又はヘッドセットなどの他のユーザ装置と通信するための短距離無線ネットワークの一部である。例えば、ブルーツース（商標）技術（ｗｗｗ．Ｂｌｕｅｔｏｏｔｈ．ｃｏｍ）は短距離無線ネットワーク内の装置間の無線通信を提供する。
【０００３】
短距離無線ネットワークのユーザは、イベントを知らせる出力信号を持つ多数の装置又は端末を有する。例えば、セルラー電話機は受信電話通話を知らせるリングトーンを有する。同様に、メッセージ端末は電子メールの到着を知らせる信号を出力する。腕時計は予定された会議を知らせる警報を出力する。ラップトップ・コンピュータは背景イメージを出力しそしてスクリーンセイバーのためのビデオを有する。
【０００４】
装置が購入される時、製造者又は流通者は典型的にこれらの出力信号を選択する。しかし、また、ユーザも好ましい出力信号を選択できる。例えば、ユーザはラップトップ・コンピュータ上の背景をラップトップ・コンピュータ製造者の名前を示すものを好みの森林の風景に変更できる。同様に、ユーザは、セルラー電話機に記憶されたリングトーンの所定の組から所望のリングトーンを選択できる。
【０００５】
しかし、ユーザが所望の出力信号をプログラミングする際にいくつかの不利な点がある。第１に、ユーザは出力信号を変更するためにしばしば最近購入した装置に添付されたマニュアルを読んで勉強しなければならない。さらに、もし、ユーザが特定の出力信号に飽きたら、ユーザは出力信号を変更するのに再びユーザ・マニュアルを探して時間を費やして指示に従わなければならない。
【０００６】
第２に、いくつかの装置は制限された数の出力信号オプションを持つ。例えば、セルラー電話機はいくつかの異なるタイプのリングトーンしか持たず、ユーザはセルラー装置に記憶されたリングトーンからは利用可能ではない独特に流行しているトーンをプログラミングすることに興味を有するだろう。
【０００７】
第３に、ユーザはさまざまな装置の出力信号のいくつか又は全てを関連付けることに興味を有するだろう。
【０００８】
第４に、もし、ユーザがインターネットからファイルをダウンロードすることにより出力信号の変更を試みる場合、ユーザは目標のファイルがユーザの装置と互換可能であるかどうかを決定するために時間を費やさなければならない。例えば、もし、ユーザがインターネットからスクリーンセイバーをダウンロードすることを望む場合、最初に、ユーザはスクリーンセイバーがユーザのラップトップ・コンピュータと互換性があるかどうかを決定しなければならない。また、ユーザはあまり知らないウェブサイトからファイルをダウンロードする時、ファイルが安全であることを確認しなければならない。コンピュータ・ビールスがダウンロードされたスクリーンセイバーに埋め込まれていて、ラップトップ・コンピュータ又はラップトップ・コンピュータに記憶された情報に損害を与えるだろう。
【０００９】
また、通信オペレータは、ユーザが選択するさまざまな種類の出力信号を提供して、追加の収入を発生することを好むだろう。また、通信オペレータはユーザにさまざまな出力信号を販売することにより収入を発生できる。さらに、通信オペレータは、プロモーショナル・イベントを推進したいと欲するプロモーターから収入を発生することができる。例えば、映画スタジオは、ユーザのラップトップ・コンピュータに提供されたプロモート映画のシーンを表示する背景映像の各々に対して、ある料金を通信オペレータに支払うだろう。映画シーン背景はユーザの友人や仲間に見られ、映画を広告して映画のチケット販売を促進するために使用される。同様に、音楽ツアー・プロモーターは、セルラー電話機に提供された音楽家の作品を示すリングトーンの各々に対して、ある料金を通信オペレータに支払うだろう。すなわち、公衆に演奏される音楽家のリングトーンは、レコードとコンサート・チケットの販売を促進するために使用される。
【００１０】
従って、ユーザが大量の出力信号の選択から装置用の出力信号を安全且つ便利に選択できる方法、システム及びコンピュータ読取り可能媒体を提供することが望まれる。さらに、ユーザが関連する出力信号を選択できそしてユーザの介入無しに変更できる出力信号を選択できることが望まれる。通信オペレータは、一方ではユーザに付加価値と便利さを提供しながら、装置へ所望の出力信号を提供することにより収入を発生することができる。
【発明の開示】
【００１１】
方法、システム、及びコンピユータ読取り可能媒体は、ユーザが短距離無線ネットワーク内の装置のための出力信号を選択することを可能にする。本発明の１つの実施の形態では、出力信号は、リングトーン、警報、背景映像、振動信号、フォントタイプ、又は、映画の一部である。本発明の１つの実施の形態では、システムは、短距離無線ネットワーク内で第１及び第２出力信号を生成する第１及び第２装置を含む。セルラー装置は、セルラー・ネットワークからのセルラー信号に応答して第１及び第２短距離無線信号を生成する。セルラー信号は、第１装置に対する第１マルチメディア・ファイルと第２装置に対する第２マルチメディア・ファイルを含む。本発明の１つの実施の形態では、第１マルチメディア・ファイルと第２マルチメディア・ファイルはテーマ的に関連している。本発明の１つの実施の形態では、処理装置がセルラー・ネットワークに接続されていて、第１及び第２マルチメディア・ファイルを記憶する。本発明の１つの実施の形態では、ユーザは短距離無線ネットワーク内で出力信号を変更するために装置上又はウェブサイトでテーマを選択する。本発明の１つの実施の形態では、出力信号はユーザの介入無しに周期的に変更される。本発明のさらなる実施の形態では、プロモーター又はユーザが通信ネットワーク・プロバイダーに出力信号を安全に且つ便利に変更することに対して料金を支払う。
【００１２】
本発明の別の実施の形態によると、システムは短距離無線ネットワーク内に第１短距離無線信号に応答して第１出力信号を生成する第１装置を含む。セルラー装置は、セルラー信号に応答して短距離無線信号を生成する。セルラー信号は、テーマを持つ第１マルチメディア・ファイルを含む。
【００１３】
本発明の別の実施の形態によると、第１短距離無線信号は第１マルチメディア・ファイルを含む。
【００１４】
本発明の別の実施の形態によると、第１短距離無線信号は第１マルチメディア・ファイルを実行するセルラー装置により生成される信号を含む。
【００１５】
本発明の１つの実施の形態によると、第１装置は短距離無線プロセッサと２．４又は５．７ＧＨＺトランシーバを含む。
【００１６】
本発明のさらに別の実施の形態によると、セルラー装置は、モバイル通信用グローバル・システム（ＧＳＭ）、コード分割多重アクセス（ＣＤＭＡ）、ＣＤＭＡ２０００プロトコル、時間分割多重アクセス（ＴＤＭＡ）、汎用パケット無線サービス（ＧＰＲＳ）、及びこれらの均等物を含んだグループから選択されるプロトコルを使用する。
【００１７】
本発明の１つの実施の形態によると、装置は、デスクトップ・コンピュータ、ラップトップ・コンピュータ、パーソナル・デジタル・アシスタンス、ヘッドセット、メッセージング端末、ページャー、プリンタ、シン・ターミナル、腕時計、デジタル・カメラ、又は均等物からなるグループから選択される。
【００１８】
本発明の１つの実施の形態によると、短距離無線ネットワークはブルーツース（商標）ネットワークである。
【００１９】
本発明の１つの実施の形態によると、第１マルチメディア・ファイルはオーディオ、映像及びビデオからなるグループから選択されたファイルである。
【００２０】
本発明の１つの実施の形態によると、第１マルチメディア・ファイルは処理装置から第１装置へ周期的に転送される。
【００２１】
本発明の１つの実施の形態によると、第１マルチメディア・ファイルは処理装置から第１装置へユーザ選択に応答して転送される。
【００２２】
本発明の１つの実施の形態によると、第１マルチメディア・ファイルは処理装置から第１装置へイベントに応答して転送される。
【００２３】
本発明の１つの実施の形態によると、ユーザ選択はウェブサイトでユーザの第１マルチメディア・ファイルの選択を含む。
【００２４】
本発明の１つの実施の形態によると、ユーザはセルラー装置に記憶されている第１マルチメディア・ファイルを選択する。
【００２５】
本発明の１つの実施の形態によると、ユーザは第１装置に記憶されている第１マルチメディア・ファイルを選択する。
【００２６】
本発明の１つの実施の形態によると、方法は、複数の装置を有する短距離無線ネットワークのためにテーマを選択するステップと、複数の装置へ複数のファイルを提供するステップとを含む。
【００２７】
本発明の１つの実施の形態によると、選択ステップはウェブサイトでユーザがテーマを選択するステップを含む。
【００２８】
本発明の１つの実施の形態によると、選択ステップは複数の装置内の第１装置に記憶された複数のテーマを持つメニューからテーマを選択するステップを含む。
【００２９】
本発明の１つの実施の形態によると、複数のファイルは、複数の装置内の第１装置に対する第１マルチメディア・ファイルと、複数の装置内の第２装置に対する第２マルチメディア・ファイルと、複数の装置内の第３装置に対する第３マルチメディア・ファイルとを含む。
【００３０】
本発明の１つの実施の形態によると、提供するステップは、処理装置により、複数の装置内の装置のタイプを得るステップと、処理装置と複数の装置内のセルラー装置により複数のそれぞれの装置へ複数のそれぞれのファイルを転送するステップとを含む。
【００３１】
本発明の１つの実施の形態によると、提供するステップは、ユーザにより、複数の装置内の装置のタイプを得るステップと、処理装置により複数のそれぞれの装置へ複数のそれぞれのファイルを転送するステップとを含む。
【００３２】
本発明の１つの実施の形態によると、提供するステップは、複数の装置内の第１装置上に記憶された複数のファイル中の第１ファイルを選択するステップを含む。第１装置は第１ファイルに応答して出力信号を生成する。
【００３３】
本発明の１つの実施の形態によると、提供するステップは、複数の装置内のセルラー装置上に記憶された複数のファイル中の第１ファイルを選択するステップを含む。セルラー装置は第１装置による出力信号を生成するために複数の装置内の第１装置へ第１信号を転送する。
【００３４】
本発明の１つの実施の形態によると、コンピュータ読取り可能媒体を含んだ製造物が提供される。この物は、テーマ・メッセージに応答して、短距離無線ネットワーク内の装置から出力信号を生成するために短距離無線無線信号を生成する短距離無線ソフトウェア部品を含む。セルラー・ソフトウェア部品はセルラー・ネットワークからテーマ・メッセージを含むセルラー信号を受信する。
本発明の別の観点は、添付図面と以下の詳細な説明と特許請求の範囲を参照することにより理解できる。
【００３５】
詳細な説明
Ｉ．システム概観
以下の詳細な説明と特許請求の範囲は、本発明の１つの実施の形態による図１に示されるような短距離無線ネットワーク１１６内のそれぞれの装置及び／又は端末に出力信号を提供するための方法、システム、及びコンピュータ読取り可能媒体に関する。
【００３６】
本発明の１つの実施の形態では、特定の装置及び／又は端末のためのマルチメディア・ファイルが特定の出力信号を提供するために短距離無線ネットワーク１１６へ提供される。そして、アプリケーション・ソフトウェア部品は、特定の装置及び／又は端末から出力信号を生成するためにマルチメディア・ファイルを使用する。装置１０６又は端末１０７からの出力信号は、オーディオ信号、ビデオ信号、映像信号、及び／又は振動信号を含む。特に、出力信号は、警報、メッセージ注意、リングトーン、背景映像、振動、スクリーンセイバー、ＧＵＩ中のフォント組、又は、均等物の単一又は組合わせである。オーディオ信号は映画のサウンド・トラックの少なくとも一部、音楽作品の少なくとも一部、又は、オーディオ／ビジュアル作品の少なくとも一部を含む。
【００３７】
本発明の１つの実施の形態では、短距離無線ネットワーク１１６のための出力信号はテーマを持つか又はテーマ的に関連している。テーマは、特定且つ独特な品質、特徴、又は関心を有するとして定義される。例えば、ユーザは「ミッション・インポッシブル」テーマに興味を持つか又はミッション・インポッシブル・テレビジョン・シリーズ及び／又は映画に関連したテーマに興味を持つであろう。従って、ミッション・インポッシブル・テーマを持つ出力信号を生成するマルチメディア・ファイルが短距離無線ネットワーク１１６へダウンロードされる。例えば、ミッション・インポッシブル映画シーンの映像を含む背景イメージ１２３を生成するためのマルチメディア・ファイルがダウンロードされる。ミッション・インポッシブルのサウンド・トラックの部分を含んだリングトーン１２２を生成するためのマルチメディア・ファイルも同様にダウンロードされる。そして、ミッション・インポッシブルのキャラクタの声を含んだ警報１２０を生成するためのマルチメディア・ファイルもダウンロードされる。
【００３８】
当業者には理解されるように、ユーザは、エンターテイナーのテーマ、音楽家のテーマ、スポーツ選手のテーマ、スポーツ・チームのテーマ、スポーツ・イベントのテーマ、映画のテーマ、テレビショーのテーマ、広告のテーマ、演劇のテーマ、音楽タイプのテーマ、自然のテーマ、動物のテーマ、キャラクタのテーマ、漫画のテーマ、俳優のテーマ、歴史的機関のテーマ、又は均等物のテーマなどのさまざまの異なるタイプを欲するであろう。
【００３９】
以下に説明するように、ユーザは短距離無線ネットワーク１１６内で生成される複数の出力信号のテーマを選択でき、又は、特定の装置及び／又は端末に対する特定の出力信号を選択できる。本発明の代替的な実施の形態では、テーマを持つ複数の出力信号又は特定の装置及び／又は端末に対する特定の出力信号は、映画の公開又は音楽ツアーの開始などのプロモーショナル・イベントに応答して短距離無線ネットワーク１１６に提供される。本発明のさらに別の実施の形態では、テーマを持つ複数の出力信号又は特定の装置及び／又は端末に対する特定の出力信号は、周期的に短距離無線ネットワーク１１６に提供される。
【００４０】
本発明の１つの実施の形態では、短距離無線ネットワーク１１６は、相対的に小さい物理的領域に広がるパーソナル・コンピュータ又はヘッドセットなどの処理装置のネットワークであり、少なくとも１つの装置がネットワーク内の別の装置と通信するために短距離無線信号を生成して受信する。本発明の１つの実施の形態では、短距離無線信号はおおよそ０乃至３００メートル（１０００フィート）の間を飛ぶ。短距離無線ネットワークの例は、ブルーツース（商標）、ホームＲＦ、８０２．１１テクノロジー、又は均等物の単独又は組合わせを含む。本発明の１つの実施の形態では、短距離無線ネットワーク内の各処理装置は、それ自身の処理ユニットを持ち、処理装置メモリ内に記憶されているソフトウェア部品を実行するが、また、短距離無線ネットワーク上の装置及びデータにもアクセスする。本発明の１つの実施の形態では、有線、特に、イーサネット（登録商標）が短距離無線ネットワーク内の２つ又はそれ以上の処理装置間の通信を提供する。代替的な実施の形態では、電磁信号が、短距離無線ネットワーク内の１つ又は複数の処理装置間の無線通信を提供する。さらに別の実施の形態では、有線及び電磁波信号の両方が短距離無線ネットワーク内の処理装置間の通信を提供する。
【００４１】
本発明の１つの実施の形態では、ＷＡＮが相対的に大きな距離にわたって接続される複数のＬＡＮ及び／又は短距離無線ネットワークを含む。電話線及び電磁波信号は単独又は組合わせで、ＷＡＮ内の短距離無線ネットワーク及び／又はＬＡＮを結合する。本発明の１つの実施の形態では、ＷＡＮ１０５はセルラー信号１１１を生成し受信するセルラー・ネットワークを含む。本発明の１つの実施の形態では、セルラー・ネットワークは地理的領域をセルと呼ばれる部分に分割する通信システムとして定義される。本発明のアナログの実施の形態では、この分割の目的は限られた数の送信周波数を最大に利用することである。本発明のアナログの実施の形態では、各接続、又は、例えば、会話は、それ自身の専用の周波数を必要とし、そして利用可能な周波数の全数は約１，０００である。１，０００以上の同時的会話をサポートするために、セルラー・システムは各セルに対して周波数の設定数を割り当てる。２つのセルは、互いに隣接しない限り同じ周波数を異なる会話について使用できる。
【００４２】
図１は、本発明の実施の形態によるシステム１００を示す。システム１００は、無線装置１０６に接続した他の装置又は端末１０７を含む。本発明の１つの実施の形態では、装置１０６及び１つ又は複数の装置１０７は、短距離無線ネットワーク１１６を形成する通信を行う。本発明の１つの実施の形態では、端末１０７は短距離無線ネットワーク１１６を形成するために短距離無線信号１１０により装置１０６へ接続される。本発明の１つの実施の形態では、端末１０７のいくつか又は全ては有線接続を持ってよい。本発明の１つの実施の形態では、端末１０７は、それぞれの出力信号を生成する腕時計１０７ａ、ＰＤＡ１０７ｂ、ヘッドセット１０７ｃ及びラップトップ・コンピュータ１０７ｄを含む。本発明の１つの実施の形態では、腕時計１０７ａは警報１２０を生成する。ＰＤＡ１０７ｂはメッセージ警報１２１を生成する。ヘッドセット１０７ｃはリングトーン１２２を生成する。ラップトップ１０７ｄは背景映像１２３を生成する。代替的な実施の形態では、同様の又は異なるそれぞれの出力信号を生成するより少ない又はより多い端末が、短距離無線ネットワーク１１６において使用される。代替的な実施の形態では、端末１０７はデックトップ・コンピュータ、ページャー、プリンタ、シン・ターミナル、メッセージング端末、デジタル・カメラ、又は均等物を含む。本発明の実施の形態では、端末１０７は、ブルーツース（商標）２．４ＧＨＺトランシーバを含む。同様に、装置１０６は、ブルーツース（商標）２．４ＧＨＺトランシーバを含む。本発明の代替的な実施の形態では、ブルーツース（商標）５．７ＧＨＺトランシーバが使用される。図３ａ−ｂに、本発明の実施の形態の装置１０６と端末１０７のハードウェアが示される。
【００４３】
本発明の代替的な実施の形態では、８０２．１１又はホームＲＦなど他のローカル無線技術が、装置１０６と端末１０７との間の通信に使用できる。
【００４４】
本発明の１つの実施の形態では、ＷＡＮ１０５が装置１０６へ接続されている。本発明の実施の形態では、ＷＡＮ１０５はセルラー信号１１１を送信し受信するセルラー・ネットワークを含む。本発明の１つの実施の形態では、セルラー信号１１１は、モバイル通信用グローバル・システム（ＧＳＭ）プロトコルなどのプロトコルを使用して送信される。代替的な実施の形態では、コード分割多重アクセス（ＣＤＭＡ）、ＣＤＭＡ２０００、ユニバーサル・モバイル通信システム（ＵＭＴＳ）、時間分割多重アクセス（ＴＤＭＡ）、汎用パケット無線サービス（ＧＰＲＳ）プロトコル又は均等物が使用される。
【００４５】
本発明の１つの実施の形態では、ＷＡＮ１０５は、キャリア・バックボーン１０４、サーバー１０１−１０２及びインターネット１０３を含む。本発明の実施の形態では、ＩＰパケットが図１に示されるコンポーネント間で転送される。本発明の代替的な実施の形態では、図１に示されるコンポーネント間で他のパケット・タイプが転送される。
【００４６】
本発明の１つの実施の形態では、ＷＡＮ１０５は、仮想プライベート・ネットワーク（ＶＰＮ）を使用したコーポレイト・セキュアド・ネットワークなどのＩＰ公衆又はプライベート・ネットワークを含む。
【００４７】
本発明の代替的な実施の形態では、装置１０６は、イーサネット（登録商標）、デジタル加入者回線（ＤＳＬ）、又は、ケーブルモデム接続、単独又は組合わせによりＷＡＮ１０５に接続されている。
【００４８】
本発明の１つの実施の形態では、装置１０６は、セルラー・ハンドセット又は電話機である。本発明の代替的な実施の形態では、装置１０６はセルラー可能化ＰＤＡ、無線モデム、及び／又は無線ラップトップ・コンピュータである。
【００４９】
本発明の１つの実施の形態では、ＷＡＮ１０５は、無線キャリア内部ネットワーク又はキャリア・バックボーン１０４に接続されている。本発明の実施の形態では、サーバー１０２がキャリア・バックボーン１０４に接続されている。本発明の代替的な実施の形態では、キャリア・バックボーン１０４がインターネット１０３に接続されている。サーバー１０１がインターネット１０３に接続されている。本発明の実施の形態では、サーバー１０１及び１０２が、出力信号を装置１０６及び／又は端末１０７へそれぞれのマルチメディア・ファイルをダウンロードすることにより供給する。本発明の実施の形態では、マルチメディア・ファイルが装置１０６内に記憶されて、端末１０７から出力信号を生成するために使用される。本発明の代替的な実施の形態では、それぞれのマルチメディア・ファイルがそれぞれの端末に記憶されて、そしてそれぞれの出力信号を生成するために使用される。
【００５０】
図６に示すように、本発明の１つの実施の形態では、サーバー１０１は装置／端末タイプ・ソフトウェア部品６０１、ファイル転送ソフトウェア部品６０２、料金発生ソフトウェア部品６０３、ユーザ・データベース６０４及びマルチメディア・ファイル・データベース６０６を単独又は組合わせで記憶する。
【００５１】
本発明の実施の形態では、サーバー１０１及び、特に、装置／端末タイプ・ソフトウェア部品６０１は、短距離無線ネットワーク１１６内で装置／端末タイプを得るために装置１０６へＷＡＮ１０５を経由して転送されるメッセージを生成する。本発明の１つの実施の形態では、メッセージはインターネット／プロトコル（ＩＰ）メッセージである。本発明の実施の形態では、短距離無線ネットワーク１１６からの情報は、装置／端末製造者及び装置／端末から出力を生成するために使用されるマルチメディア・ファイルのタイプを含んだ、装置／端末のタイプを含む。
【００５２】
装置／端末タイプ・ソフトウェア部品６０１により生成されるメッセージは、ユーザのテーマ又は特定の出力信号の選択、プロモーショナル・イベント又は周期的に応答して生成される。このメッセージ又は質問の結果は、ユーザ・データベース６０４内に記憶されて、そして、特に、装置タイプ・レコード６０５ａ中のユーザ・レコード６０５と関連付けられる。ユーザ・レコード６０５は、ユーザ・データベース６０４内の短距離無線ネットワーク１１６の所有者、オペレータ、又はユーザを識別する。本発明の１つの実施の形態では、装置／端末タイプ・ソフトウェア部品６０１は、現存する装置及び端末のタイプを決定するために周期的に装置１０６を質問する。本発明の実施の形態では、装置１０６は、短距離無線ネットワーク１１６内の装置／端末のタイプを示す装置／端末タイプ・ソフトウェア６０１へメッセージを生成する。本発明のさらに別の実施の形態では、ユーザが装置／端末タイプを装置１０６又は端末中に入力し、そして装置／端末タイプを装置／端末タイプ・ソフトウェア部品６０１へ転送するか、又は、ユーザが装置／端末タイプ・ソフトウェア部品６０１によりアクセス可能なウェブサイトに短距離無線ネットワーク１１６の装置／端末タイプを入力する。
【００５３】
ファイル転送ソフトウェア部品６０２は、本発明の１つの実施の形態では、短距離無線ネットワーク１１６内のそれぞれの装置又は端末へマルチメディア・ファイル・データベース６０６内の適当なマルチメディア・ファイルを転送する責任を有する。本発明の代替的な実施の形態では、短距離無線ネットワーク１１６内で信号又は選択された複数の出力信号を出力するために使用されるべき特定のマルチメディア・ファイル又はテーマを持つ記憶された複数のマルチメディア・ファイルを選択する装置１０６へのメッセージをファイル転送ソフトウェア部品６０２が生成する。
【００５４】
料金生成ソフトウェア部品６０３は、本発明の１つの実施の形態によると、短距離無線ネットワーク１１６へ選択された出力信号を提供することに関連した料金を発生する。料金生成ソフトウェア部品６０３を使用することにより、本発明の環境内にいるユーザへ請求書がプリンタで印刷されて郵送される。本発明の代替的な実施の形態では、請求書がユーザへ電子メールで送られる。本発明の代替的な実施の形態では、請求書はプロモーショナル・イベントのプロモーターへ郵送される。本発明の代替的な実施の形態では、請求書は広告者へ郵送される。料金生成ソフトウェア部品６０３は、ユーザ・データベース６０４へアクセスし、そして特に請求書を生成する際に料金プラン６０５ｃにアクセスする。本発明の１つの実施の形態では、料金生成ソフトウェア部品６０３は、マルチメディア・ファイルが短距離無線ネットワーク１１６へダウロードされた時、タイプ、及び数に基づいて料金を生成する。
【００５５】
ユーザ・データベース６０４は、本発明の１つの実施の形態では、短距離無線ネットワークのそれぞれのユーザに関する情報を含む。例えば、ユーザ・データベース６０４は、本発明の１つの実施の形態では、装置タイプ・フィールド６０５ａ、ユーザ好みフィールド６０５ｂ、及び料金プラン・フィールド６０５ｃを単独又は組合わせて含むユーザ・レコード６０５として識別されたユーザに対するレコードを含む。
【００５６】
装置タイプ・フィールド６０５ａは、ユーザ６００により使用され、操作され、又は所有される短距離無線ネットワーク１１６内で使用される装置又は端末のタイプを記憶する。フィールド６０５ａは、本発明の１つの実施の形態では、装置タイプ製造者、モデル及び／又はそれぞれの出力信号に必要なマルチメディア・ファイル・タイプを含む。
【００５７】
ユーザ好みフィールド６０５ｂは、ユーザ好み６００を含む。ユーザは、好みを選択して記憶でき、短距離無線ネットワーク１１６内の装置又は端末から出力信号をユーザ６００の介入無しに周期的に変更できる。例えば、ユーザは特定のエンターテイナーについてのテーマ好みを選択して記憶できる。また、ユーザは出力信号がどれだけ頻繁に変更されるかに関して好みを選択して記憶できる。例えば、エンターテイナーの新しい背景映像１２３についてのマルチメディア・ファイルは毎月ラップトップ１０７ｄへダウンロードされ、そしてエンターテイナーの最新のヒットソングの一部を演奏する新しいリングトーンについてのマルチメディア・ファイルは同様にヘッドセット１０７ｃに２月毎にダウンロードされる。また、ユーザは特定のプロモシーヨナル・イベントに応答して出力信号を変更する好みを選択して記憶できる。
【００５８】
料金プラン６０５ｃは、ユーザ６００に対する料金プランを含む。料金プラン６０５ｃは、本発明の１つの実施の形態において、出力信号が課金される時、数、及びタイプに基づいてユーザ６０５がどのように課金されるかを示す。例えば、ユーザ６００は、スポーツ選手の最新映像に対して、２．００ドル課金され、ポピュラーソングの一部を使用したリングトーンに対して、１．００ドル課金される。
【００５９】
マルチメディア・ファイル・データベース６０６は、本発明の１つの実施の形態では、短距離無線ネットワーク１１６内の異なるタイプの装置及び端末に対する複数のマルチメディア・ファイルを記憶する。本発明の１つの実施の形態では、複数のファイルが特定のテーマ及び装置タイプに従って記憶される。例えば、テーマ６０７は、マドンナ、エンターテイナー、テーマである。テーマ６０７は、モトローラ（商標）セルラー電話機に対する現在演奏されているマドンナの歌の一部のオーディオ・ファイルを含んだセルラー電話機リングトーン・ファイル６０７ａを含む。腕時計警報ファイル６０７ｂは、ユーザに約束を知らせるマドンナの声のオーディオ・ファイルを含む。背景映像ファイル６０７ｃは、最近のコンサートで歌っているマドンナの映像ファイルを含む。
【００６０】
代替的な実施の形態では、広告者が広告を提供するためのファイル又は広告テーマのダウンロードに対する料金を通信オペレータに支払う。例えば、「コカコーラ」（商標）リングトーン及び／又は背景が短距離無線ネットワーク１１６、特に、装置１０６とラップトップ１０７ｄにそれぞれ提供される。そして、コカコーラ社が、各ダウンロードされたファイルに対する料金を通信オペレータに支払う。本発明の代替的な実施の形態では、通信オペレータは料金又は料金の一部を短距離無線ネットワーク１１６のユーザに払う。
【００６１】
本発明の実施の形態では、マルチメディア・ファイルは、オーディオ・ファイル、映像ファイル、ビデオ・ファイル、振動ファイル、又は均等物の単独又は組合わせである。特に、マルチメディア・ファイルは、ＧＩＦ（グラフイックス・インターチェンジ・フォーマット）ファイル、ＪＰＥＧ（ジョイント・フォトグラフイック・エキスパート・グループ）ファイル、ＡＶＩファイル、ＭＰＥＧ−１（ムービング・ピクチャ・エキスパート・グループ）ファイル、ＭＰＥＧ−２ファイル、ＭＰＥＧ−３ファイル、ＭＰＥＧ−４ファイル、ビデオフォーウインドウズ、インデオ・ファイル、クイックタイム・ファイル、振動信号を発生するための振動ファイル、ウインドウズ（商標）ＦＯＮファイルなどのフォント・ファイル、ＭＰ３ファイル、又はその均等物、単独又は組合わせなどのさまざまの異なるタイプのファイルを含む。
【００６２】
上述と同様に、ファイルはさまざまの異なるタイプの装置及び端末に対するフォーマットで記憶される。例えば、ソニーエリクソン・セルラー電話機リングトーンに対するオーディオ・ファイルは、モトローラＳＴＡＲＴＡＣ（商標）セルラー電話機に対するオーディオ・ファイルと同様に記憶される。
【００６３】
キャリア・バックボーン１０４に接続されたサーバー１０２は、上述した同様なソフトウェア部品を有し、本発明の代替的な実施の形態ではインターネット１０３をバイパスする。
【００６４】
ＩＩ．ハンドヘルド装置／端末ハードウェア
図２は、端末１０７及び装置１０６の実施の形態を示す。本発明の１つの実施の形態では、２つのタイプの端末：１）スマート端末及び２）シン・ターミナルがある。本発明の代替的な実施の形態では、スマート端末ユーザ論理及びアプリケーションを実行する。スマート端末は、相対的に大きい能力の処理ユニットと、オペレイテイング・システムと、アプリケーションを有する。短距離無線ネットワーク１１６からの主な需要は、ＴＣＰ／ＩＰによるＷＡＮ１０５へのアクセス及び記憶と実行などの他のネットワーク。サービスである。例えば、ラップトップ・コンピュータ１０７ｄとＰＤＡ１０７ｂは、スマート端末である。シン・ターミナルは、相対的に低い能力の処理ユニットとオペレイテイング・システムを持つ。それらは、主として短距離無線ネットワーク１１６内のアプリケシーョン・サーバーの周辺装置として使用され、それらの主なタスクはユーザ相互作用、ユーザに出力を提供して、アプリケシーョン・サーバーにユーザ入力を提供することである。例えば、腕時計１０７ａ又はメッセージング端末はシン・ターミナルである。
【００６５】
図２は、シン・ターミナルを示す。音声ターミナル２０４は、ディスプレイ２０４ｂと引込み可能キーボード２０４ａを含む。メッセージング端末２０３は、端末２０３を開閉するために使用されるヒンジ２０３ａが閉じられた位置で示されている。端末２０３は、開くとＱＷＥＲＴＹキーボードとディスプレイを含む。
【００６６】
本発明の１つの実施の形態では、装置２０１はセルラー・モデムであり、ベルトへのクリップ２０２を含む。
【００６７】
図３ａは、本発明の実施の形態の装置１０６のハードウェア・ブロック図を示す。装置１０６は、内部及び取外し可能メモリを含む。特に、装置１０６は、内部ＦＬＡＳＨ（又は、電気的に消去可能プログラム可能読出し専用メモリ（ＥＥＰＲＯＭ））とスタテイック・ランダム・アクセス・メモリ（ＳＲＡＭ）、それぞれ、３０２と３０３を含む。また、取外し可能ＦＬＡＳＨメモリ３０４が本発明の実施の形態において使用される。メモリ３０２、３０３、及び３０４は、バス３０５に接続されている。本発明の実施の形態では、バス３０５はアドレス及びデータ・バスである。アプリケシーョン・プロセッサ３０１は同様にバス３０５に接続されている。本発明の１つの実施の形態では、プロセッサ３０１は、３２ビット・プロセッサである。
【００６８】
また、ブルーツース（商標）プロセッサ３０７は、バス３０５に接続されている。ブルーツース（商標）ＲＦ回路３０９は、ブルーツース（商標）プロセッサ３０７とアンテナ３１３に接続されている。プロセッサ３０７と、ＲＦ回路３０９と、アンテナ３１３は、図１に示される端末１０７又は図３ｂに示される装置３５０から及びへ短距離無線信号を受信し及び送信する。
【００６９】
ＧＳＭなどのセルラー信号は、デジタル回路３０６、アナログ回路３０８、送信機３１０、受信機３１１、及びアンテナ３１２を使用して送信及び受信される。デジタル回路３０６は、バス３０５に接続されている。代替的な実施の形態では、装置１０６は、ディスプレイ、スピーカー、マイクロホン、キーボード、及び、タッチスクリーンを単独又は組合わせで含む。
【００７０】
図３ｂは、本発明の実施の形態のハンドヘルド装置３５０を示す。本発明の実施の形態では、装置３５０は図１に示される端末１０７の１つである。装置１０６と同様に、装置３５０は、ＳＲＡＭとＦＬＡＳＨメモリ３５１と３５２をそれぞれ含む。メモリ３５１と３５２は、バス３５７に接続されている。本発明の１つの実施の形態では、バス３５７はアドレス及びデータ・バスである。また、キーパッド３５３は、バス３５７に接続されている。短距離無線信号が、ブルーツース（商標）プロセッサ３５４とブルーツース（商標）ＲＦ回路３５５を使用して送信及び受信される。アンテナ３５６が、ブルーツース（商標）ＲＦ回路３５５に接続されている。本発明の１つの実施の形態では、アンテナ３５６が短距離無線信号を送信及び受信する。代替的な実施の形態では、装置３５０は、ディスプレイ、スピーカー、マイクロホン、キーパッド及びタッチスクリーンを単独又は組合わせで含む。当業者には理解されるように、本発明の代替的な実施の形態では、他のハードウェア部品が装置３５０のために設けることができる。例えば、装置３５０がラップトップ・コンピュータ１０７ｄである実施の形態では、ディスク・ドライブ及び他の入力／出力部品が存在する。
【００７１】
ＩＩＩ．ソフトウェア
図４は、本発明の１つの実施の形態による図３ａに示される装置１０５のソフトウェア・アーキテクチャ４００を示す。本発明の１つの実施の形態では、ソフトウェア４００は装置１０６のＦＬＡＳＨメモリ３０２内に記憶される。本発明の代替的な実施の形態では、ソフトウェア部品４１４、４１５及び４１６が、端末１０７の端子内のＦＬＡＳＨメモリ３５３内に記憶される。本発明の実施の形態では、図４に示されるソフトウェア部品は、ソフトウェア・プログラム、ソフトウェア・オブジェクト、ソフトウェア機能、ソフトウェア・サブルーチン、ソフトウェア・メソッド、ソフトウェア・インスタンス、及びコード部分の単独又は組合わせを表す。代替的な実施の形態では、図４に示されるソフトウェア部品により実行される機能は、部分的に又は完全にハードウェアにより実行される。
【００７２】
本発明の１つの実施の形態では、ソフトウェア４００、又は、ソフトウェア４００の部品は、コンピュータ読取り可能媒体などの製造物内に記憶される。例えば、ソフトウェア４００は、磁気ハード・ディスク、光ディスク、フレキシブル・ディスク、コンパクト・ディスク読出し専用メモリ（ＣＤ−ＲＯＭ）、ランダム・アクセス・メモリ（ＲＡＭ）、読出し専用メモリ（ＲＯＭ）又は読取り可能又は書込み可能データ記憶技術の単独又は組合わせ内に記憶される。さらに、別の実施の形態では、ソフトウェア４００又はその部品は図１に示されるサーバー１０１からダウンロードされる。
【００７３】
ソフトウェア４００は、通信ソフトウェア又は物理層プロトコル・スタック、特に、セルラー通信ソフトウェア４０３及び短距離無線通信ソフトウェア４０２を含む。本発明の実施の形態では、通信ソフトウェア４０３はセルラー信号を送信及び受信するためにプロセッサ３０６を使用するＧＰＲＳベースバンド・ソフトウェア部品である。本発明の実施の形態では、通信ソフトウェア４０２は、短距離無線信号を送信及び受信するためにプロセッサ３０７と共に使用されるブルーツース（商標）ベースバンド・ソフトウェア部品である。他の通信ソフトウェアが、他のベースバンド４０１により示されるよう使用できる。
【００７４】
本発明の実施の形態では、オペレイテイング・システム（ＯＳ）４０５が通信ソフトウェア４０２と４０３と通信するために使用される。本発明の１つの実施の形態では、オペレイテイング・システム４０５は、リナックス・オペレイテイング・システム、英国、ロンドンのシンビアン・ソフトウェアから入手可能なＥＰＯＣオペレイテイング・システム、米国ワシントン州レドモンドのマイクロソフト・コーポレイションから入手可能なストリンジャー・オペレイテイング・システム、又は米国アラバマ州モバイルのアクセルレイテッド・テクノロジー社から入手可能なニュクラス・オペレイテイング・システムである。オペレイテイング・システム４０５は、ハードウェアを管理して、装置ソフトウェア部品のための実行空間を可能にする。
【００７５】
メディア抽出層４０４は、オペレイテイング・システム４０５がベースバンド４０１、４０２及び４０３とそれぞれ通信することを可能にする。メディア抽出層４０４及び他の抽出層は、ＧＰＲＳなどの特定の通信プロトコルを、装置及び／又は端末により使用される標準命令組に翻訳する。抽出層の目的は、物理スタックを装置ソフトウェア部品の残りから隔離することである。これは、上側層ソフトウェアのいずれも変更せずに将来の異なる物理スタックの使用を可能にし、そして装置ソフトウェアがいずれの通信プロトコルと共に動作することを可能にする。
【００７６】
ソフトウェア４００は、本発明の１つの実施の形態では、マルチメディア・ファイル４１４とマルチメディア・ファイル４１５とを含む。本発明の代替的な実施の形態では、より多い又は少ないマルチメディア・ファイルがソフトウェア４００に含まれる。本発明の実施の形態では、マルチメディア・ファイル４１４と４１５は、テーマ的に関連している。本発明の実施の形態では、マルチメディア・ファイル４１４と４１５は、サーバー１０１上に記憶されているマルチメディア・ファイル・データベース６０６からダウンロードされる。本発明の１つの実施の形態では、アプリケーション・ソフトウェア４１６は、マルチメディア・ファイル４１４を装置１０６から出力信号を生成するために使用する。例えば、アプリケーション・ソフトウェア４１６は、セルラー電話機上の電話アプリケーションであり、マルチメディア・ファイル４１４はリングトーン・ファイルである。本発明の代替的な実施の形態では、マルチメディア・ファイル４１４と４１５はそれぞれの端末１０７上に記憶されて、端末１０７はまた記憶されたマルチメディア・ファイル４１４と４１５に基づいて出力信号を生成するためのそれぞれのアプリケーション・ソフトウェア部分を含む。
【００７７】
本発明の１つの実施の形態では、オペレイテイング・システム４０５とブルーツース（商標）ベースバンド・ソフトウェア部品４０２が、それぞれの端末出力信号を生成するために使用される端末１０７へのマルチメディア・ファイルを含む短距離無線信号１１０を生成するために使用される。
【００７８】
本発明の代替的な実施の形態では、マルチメディア・ファイル４１４、アプリケーション・ソフトウェア部品４１６、オペレイテイング・システム４０５、及びブルーツース（商標）ベースバンド・ソフトウェア部品４０２が、端末１０７に対する出力信号を含んだ短距離無線信号１１０を生成するために使用できる。
【００７９】
さらに、グラフイックス・ユーザ・インターフェイス（ＧＵＩ）４１７が、ユーザ・フレンドリイ・インターフェイスを可能にするために提供される。本発明の実施の形態では、マルチメディア・ファイル４１４は、ＧＵＩ４１７により使用されるフォント組である。
【００８０】
図５は、本発明の１つの実施の形態による短距離無線ネットワーク１１６内の装置／端末へ出力信号を提供する方法を示す。１つの実施の形態では、方法は、図４及び図６に示されるソフトウェア部品により部分的又は完全に実行される。本発明の実施の形態では、図５中に示される論理ボックス又はステップは、ソフトウェア・プログラム、ソフトウェア・オブジェクト、ソフトウェア関数、ソフトウェア・サブルーチン、ソフトウェア・メソッド、ソフトウェア・インスタンス、コード部分の単独又は組合わせなどのソフトウェア部品の実行により表される。本発明の代替的な実施の形態では、論理ボックス又はステップは、ソフトウェア部品、ハードウェア動作又はユーザ動作の単独又は組合わせの実行を表す。本発明の代替的な実施の形態では、より少ない又は多い論理ボックス又はステップが図５に示される方法で実行される。
【００８１】
図５は、本発明の１つの実施の形態による方法５００を示す。論理ブロック５０１に示すように、ユーザが短距離無線ネットワーク１１６内の装置／端末のためにテーマ又は特定の出力信号を生成したかどうかの決定が行われる。本発明の１つの実施の形態では、ユーザが、ウェブサイトでテーマ名を選択することにより図６に示されるマルチメディア・ファイル・データベース６０６中のテーマ６０７を選択する。本発明の１つの実施の形態では、ウェブサイトはサーバー１０１上に位置する。本発明の代替的な実施の形態では、ユーザが、装置１０６又は端末１０７上で記憶されているマルチメディア・ファイルのメニューからテーマ又は特定の出力信号を選択する。もし、ユーザがテーマ又は特定の出力信号を選択した場合、制御は論理ブロック５０２へ移る。
【００８２】
そして、論理ブロック５０２で、短距離無線ネットワーク１１６内で出力信号を変更すべきかどうかについて決定が行われる。本発明の１つの実施の形態では、出力信号はユーザ選択の直後に変更される。本発明の１つの実施の形態では、出力信号はそれぞれのマルチメディア・ファイルがダウンロードされた後の時間で生成されることが可能である。マルチメディア・ファイルは、ＷＡＮ１０５を効率的に動作するために非ピーク時にダウンロードされても良い。さらに本発明の別の実施の形態では、図６に示されるユーザ好みフィールド６０５ｂ内に記憶されるユーザ選択に応答して、出力信号は周期的に変更される。本発明の代替的な実施の形態では、出力信号はプロモシーヨナル・イベントに応答して変更される。例えば、もし、ユーザがユーザ好みフィールド６０５ｂ内に記憶されているこのプロモーショナル・イベント・オプションを選択した場合、映画の公開時に、出力信号を変更するための決定が行われる。もし、決定が短距離無線ネットワーク１１６内の出力信号を変更するための決定が行われた場合、制御は論理ブロック５０３へ移る。
【００８３】
そして、論理ブロック５０３で、短距離無線ネットワーク１１６内の装置／端末のタイプの決定が行われる。短距離無線ネットワーク１１６内の装置／端末のタイプの決定は、出力信号の生成に使用するためにネットワーク１１６へダウンロードされるべきマルチメディア・ファイルのタイプを識別するために行われる。本発明の１つの実施の形態では、サーバー１０１上に記憶されている装置タイプ・ソフトウェア部品６０１が、短距離無線ネットワーク１１６内の端末１０７のタイプを決定するために装置１０６を質問する。この質問は、それぞれのマルチメディア・ファイルを転送する直前又は周期的ベースで行われる。本発明の代替的な実施の形態では、装置タイプ・ソフトウェア部品６０１が、サーバー１０１へ、特に、図６に示されるユーザ・データベース中の装置タイプ・フィールド６０５ａへ、短距離無線ネットワーク１１６内の装置／端末のタイプを示すメッセージを生成する装置１０６上に記憶されている。
【００８４】
論理ブロック５０４で、短距離無線ネットワーク１１６のための適当なマルチメディア・ファイルが、ユーザ・データベース６０４内の装置タイプ・フィールド６０５ａ内に記憶された装置／端末のタイプに応答して、マルチメディア・ファイル・データベース６０６から検索される。例えば、腕時計１０７ａのためのサウンド・ファイルが、もし、ユーザがこの特定の出力信号又はそれぞれのテーマ６０７を選択した場合、腕時計警報ファイル６０７ｂから検索される。
【００８５】
論理ブロック５０５で、適当なマルチメディア・ファイルが、サーバー１０１内のマルチメディア・ファイル・データベース６０６から装置１０６へ転送される。本発明の１つの実施の形態では、サーバー１０１上に記憶されているファイル転送ソフトウェア６０２が、装置１０６へ適当なマルチメディア・ファイルを転送する。本発明の１つの実施の形態では、適当なマルチメディア・ファイルが装置１０６上に記憶されていて、装置１０６及び少なくともいくつかの端末１０７から出力信号を生成するために使用される。
【００８６】
本発明の代替的な実施の形態では、マルチメディア・ファイルが短距離無線ネットワーク１１６内のそれぞれの端末１０７へダウンロードされて、それぞれの端末１０７でそれぞれの出力信号を生成するために使用される。
【００８７】
本発明の代替的な実施の形態では、短距離無線ネットワーク１１６へのマルチメディア・ファイルのダウンロードに応答して、料金発生ソフトウェア部品６０３により、所定の料金が発生される。料金は、マルチメディア・ファイルがダウンロードされた時、数、及びタイプに基づくことができる。
【００８８】
ＩＶ．結論
上述の本発明の好適な実施の形態の説明が、説明目的のために提供された。本発明を説明されたものに限定する意図も、網羅的である意図もない。当業者には多くの修正と変形が容易である。実施の形態は、本発明の原理とその実用的な応用を良く説明し、よって、当業者が本発明のさまざまな実施の形態及び特定の用途に適した修正を理解するために選ばれて説明された。本発明の範囲は、特許請求の範囲の請求項及びそれらの均等物により定義されることを意図している。
【図面の簡単な説明】
【００８９】
【図１】本発明の１つの実施の形態によるシステムを示す図。
【図２】本発明の１つの実施の形態による無線装置とシン・ターミナルとを示す図。
【図３ａ】本発明の１つの実施の形態による装置のハードウェア・ブロック図。
【図３ｂ】本発明の１つの実施の形態による装置のハードウェア・ブロック図。
【図４】本発明の１つの実施の形態による短距離無線ネットワーク内の装置から出力信号を提供するために使用されるマルチメディア・ファイルを提供するためのソフトウェア・アーキテクチャ・ブロック図。
【図５】本発明の１つの実施の形態による短距離無線ネットワーク内の装置から出力信号を提供するために使用されるマルチメディア・ファイルを提供するためのフロー・チャート。
【図６】本発明の１つの実施の形態によるサーバー１０１のソフトウェア・アーキテクチャ・ブロック図。
【図１】
2006514792.tif 000003
【図２】
2006514792.tif 000004
【図３ａ】
2006514792.tif 000005
【図３ｂ】
2006514792.tif 000006
【図４】
2006514792.tif 000007
【図５】
2006514792.tif 000008
【図６】
2006514792.tif 000009